(57)【要約】      （修正有）【課題】良好なアンテナ特性を得ることができる携帯端末装置を提供する。【解決手段】携帯端末装置１は、第１の電子部品（基板５）と、第２の電子部品（アンテナ素子３）と、第１の電子部品が固定される金属部分を有するフレーム７と、内部導体と、内部導体の周囲に絶縁材料を介して配置された外部導体とを備え、第１の電子部品と第２の電子部品とを電気的に接続する同軸ケーブル８と、同軸ケーブル８を保持する金属部分を有する保持部材９と、を備え、同軸ケーブル８は、第１の電子部品と第２の電子部品との中間部分において外部導体が露出する露出部分を有し、露出部分において外部導体が保持部材９の金属部分を介してフレーム７の金属部分に電気的に接続されている。【選択図】図１
2013255023.tif 000002
【特許請求の範囲】
【請求項１】
第１の電子部品と、
第２の電子部品と、
前記第１の電子部品が固定される金属部分を有するフレームと、
内部導体と、当該内部導体の周囲に絶縁材料を介して配置された外部導体とを備え、前記第１の電子部品と前記第２の電子部品とを電気的に接続する同軸ケーブルと、
前記同軸ケーブルを保持する金属部分を有する保持部材と、を備え、
前記同軸ケーブルは、前記第１の電子部品と前記第２の電子部品との中間部分において前記外部導体が露出する露出部分を有し、前記露出部分において前記外部導体が前記保持部材の金属部分を介して前記フレームの金属部分に電気的に接続されている携帯端末装置。
【請求項２】
前記フレームは、前記同軸ケーブルを配置する溝部を備える請求項１に記載の携帯端末装置。
【請求項３】
前記保持部材は、前記溝部内に配置される前記同軸ケーブルの露出部分を挟み込む保持部と、当該保持部を前記フレームに固定する固定部と、を備える請求項２に記載の携帯端末装置。
【請求項４】
前記固定部は、前記溝部の両側に設けられている側壁のうち前記フレームの外側に設けられている外側側壁の両側の側面を挟み込む挟持部を備える請求項３に記載の携帯端末装置。
【請求項５】
前記固定部は、前記フレームの外側側壁の頂面と対向する面に位置決め孔と、貫通孔と、を備え、
前記フレームの外側側壁は、前記位置決め孔に嵌め込まれる位置決めピンと、前記貫通孔に通される固定部材を固定する固定穴と、を備え、
前記位置決めピン及び前記固定穴は、前記同軸ケーブルの長手方向に並べられている請求項４に記載の携帯端末装置。
【請求項６】
前記フレームに固定されるバッテリをさらに備え、
前記バッテリは、前記溝部を覆う突出部を備える請求項５に記載の携帯端末装置。
【請求項７】
前記バッテリの周囲に取り付け孔が設けられており、
前記バッテリの取り付け孔と、前記保持部材における固定部の貫通孔と、に固定部材を通し、当該固定部材を前記フレームにおける外側側壁の固定穴に固定することで、前記バッテリは前記フレームに固定されている請求項６に記載の携帯端末装置。
【請求項８】
前記第１の電子部品は基板であり、前記第２の電子部品はアンテナ素子であって、
前記アンテナ素子は前記基板との間に前記バッテリを挟んで配置されている請求項７に記載の携帯端末装置。
【請求項９】
前記同軸ケーブルの外部導体は、前記第１の電子部品又は前記第２の電子部品の金属部分にも電気的に接続されている請求項１乃至８のいずれか１項に記載の携帯端末装置。
【請求項１０】
第１の電子部品及び第２の電子部品を配置する工程と、
内部導体と、当該内部導体の周囲に絶縁材料を介して配置された外部導体とを備える同軸ケーブルで前記第１の電子部品と前記第２の電子部品とを電気的に接続する工程と、
前記同軸ケーブルの前記外部導体が露出する露出部分を保持部材で保持し、前記露出部分において前記外部導体を前記保持部材の金属部分を介して前記第１の電子部品が固定されたフレームの金属部分に電気的に接続する携帯端末装置の組立方法。
【発明の詳細な説明】
【技術分野】
【０００１】
本発明は、携帯端末装置及び携帯端末装置の組立方法に関する。
【背景技術】
【０００２】
近年、携帯電話やスマートフォン等の携帯端末装置が広く普及している。ここで、特許文献１の携帯端末装置は、アンテナ素子と基板とを電気的に接続する接続部材を、金属製のシールドケースの溝部に配置し、接続部材における導体の露出部分を当該溝部に形成した突部に接触させてグランド接続している。
【先行技術文献】
【特許文献】
【０００３】
【特許文献１】特開２００９−１１１６９８号公報
【発明の概要】
【発明が解決しようとする課題】
【０００４】
良好なアンテナ特性を得るためには、接続部材における導体の露出部分を所定の圧力で保持する必要がある。しかし、特許文献１の携帯端末装置は、接続部材における導体の露出部分をシールドケースにおける溝部に形成した突部に接触させてグランド接続しているため、接続部材における導体の露出部分を保持して良好なアンテナ特性を得ることができない課題がある。
【０００５】
本発明の目的は、上述した課題を解決するためになされたものであり、良好なアンテナ特性を得ることができる携帯端末装置及び携帯端末装置の組立方法を提供することにある。
【課題を解決するための手段】
【０００６】
本発明の一形態に係る携帯端末装置は、第１の電子部品と、第２の電子部品と、前記第１の電子部品が固定される金属部分を有するフレームと、内部導体と、当該内部導体の周囲に絶縁材料を介して配置された外部導体とを備え、前記第１の電子部品と前記第２の電子部品とを電気的に接続する同軸ケーブルと、前記同軸ケーブルを保持する金属部分を有する保持部材と、を備え、前記同軸ケーブルは、前記第１の電子部品と前記第２の電子部品との中間部分において前記外部導体が露出する露出部分を有し、前記露出部分において前記外部導体が前記保持部材の金属部分を介して前記フレームの金属部分に電気的に接続されている。
【０００７】
本発明の一形態に係る携帯端末装置の組立方法は、第１の電子部品及び第２の電子部品を配置する工程と、内部導体と、当該内部導体の周囲に絶縁材料を介して配置された外部導体とを備える同軸ケーブルで前記第１の電子部品と前記第２の電子部品とを電気的に接続する工程と、前記同軸ケーブルの前記外部導体が露出する露出部分を保持部材で保持し、前記露出部分において前記外部導体を前記保持部材の金属部分を介して前記第１の電子部品が固定されたフレームの金属部分に電気的に接続する。
【発明の効果】
【０００８】
本発明によれば、良好なアンテナ特性を得ることができる携帯端末装置及び携帯端末装置の組立方法を提供することにある。
【図面の簡単な説明】
【０００９】
【図１】本発明の実施の形態に係る携帯端末装置を示す分解斜視図である。
【図２】本発明の実施の形態に係る携帯端末装置における、筐体を示す斜視図である。
【図３】本発明の実施の形態に係る携帯端末装置における、筐体を示す異なる斜視図である。
【図４】本発明の実施の形態に係る携帯端末装置における、アンテナ素子を示す斜視図である。
【図５】本発明の実施の形態に係る携帯端末装置における、アンテナ素子を示す異なる斜視図である。
【図６】本発明の実施の形態に係る携帯端末装置における、基板及びバッテリ等をフレームに固定した状態を示す斜視図である。
【図７】図６のＡ部分の拡大図である。
【図８】本発明の実施の形態に係る携帯端末装置における、基板及びバッテリ等をフレームに固定した状態を示す平面図である。
【図９】本発明の実施の形態に係る携帯端末装置における、バッテリを示す斜視図である。
【図１０】本発明の実施の形態に係る携帯端末装置における、バッテリを示す平面図である。
【図１１】本発明の実施の形態に係る携帯端末装置における、フレームを示す斜視図である。
【図１２】本発明の実施の形態に係る携帯端末装置における、フレームを示す平面図である。
【図１３】図１２のＢ部分の拡大図である。
【図１４】本発明の実施の形態に係る携帯端末装置における、同軸ケーブルを示す平面図である。
【図１５】図８のXV−XV断面図である。
【図１６】図８のXVI−XVI断面図である。
【図１７】図８のXVII−XVII断面図である。
【図１８】本発明の実施の形態に係る携帯端末装置における、保持部材を示す斜視図である。
【図１９】本発明の実施の形態に係る携帯端末装置における、保持部材を示す異なる斜視図である。
【図２０】本発明の実施の形態に係る携帯端末装置における、保持部材の接圧部材の機能を説明するための図である。
【発明を実施するための形態】
【００１０】
本発明の実施の形態に係る携帯端末装置及び携帯端末装置の組立方法について説明する。但し、本発明が以下の実施の形態に限定される訳ではない。また、説明を明確にするため、以下の記載及び図面は、適宜、簡略化されている。
【００１１】
本実施の形態に係る携帯端末装置は、例えばスマートフォン、タブレット型の携帯端末装置、携帯電話、ゲーム機、電子書籍端末等として好適である。図１に示すように、本実施の形態に係る携帯端末装置１は、筐体２、アンテナ素子３、アンテナ基板４、基板５、バッテリ６、フレーム７、同軸ケーブル８、保持部材９、及び表示部１０等を備えており、筐体２と表示部１０とで形成される密閉空間内に、基板５、バッテリ６及びフレーム７等が収容されている。
【００１２】
筐体２は、図２及び図３に示すように、所定の部材（基板５、バッテリ６及びフレーム７等）を収容可能な凹み部２ａを備えている。そして、筐体２は、凹み部２ａの角部に、フレーム７を接合するための接合部２ｂを備えている。また、筐体２は、凹み部２ａの周囲の側壁の頂部に、表示部１０を接合するための接合面２ｃを備えている。さらに、筐体２は、後方部分にアンテナ素子３を固定するための爪部２ｄを備えている。
【００１３】
筐体２は、薄型化、高強度化を達成するため剛性の高い材料で構成することが好ましい。例えば、筐体２は、炭素繊維を含むカーボンコンポジット材料（炭素繊維強化プラスチック（ＣＦＲＰ：Carbon Fiber Reinforced Plastics））を用いて構成することができる。カーボンコンポジット材料は、カーボンを５０体積％以上含み、シリカ、アルミナなどの無機系の粘結剤、ファイバなどを含む複合材料である。カーボンコンポジット材料は、高い強度と軽さを併せ持つ。また、筐体２は、アルミニウム、アルミニウム合金、マグネシウム合金等の金属材料を用いて構成してもよい。
【００１４】
アンテナ素子３は、図２に示すように、筐体２の爪部２ｄに固定されている。本実施の形態のアンテナ素子３は、図４及び図５等に示すように、本体部３ａにリブ３ｂを備えており、当該リブ３ｂが筐体２の爪部２ｄに引っ掛けられる。この本体部３ａからは、給電部３ｃが露出しており、アンテナ基板４の接続端子１１（図６等を参照）に電気的に接続されている。
【００１５】
アンテナ基板４は、図６及び図７に示すように、フレーム７の後方側の角部に接合されている。アンテナ基板４は、アンテナ素子３と同軸ケーブル８とを電気的に接続する。本実施の形態のアンテナ基板４には、アンテナ素子３側の接続端子１１及び同軸ケーブル８側の接続端子１２が設けられている。
【００１６】
接続端子１１は、所謂オンボードコンタクトである。接続端子１１は、上述のようにアンテナ素子３の給電部３ｃに電気的に接続されている。また、接続端子１１は、アンテナ基板４に形成された配線層（図示を省略）を介して接続端子１２に電気的に接続されている。
【００１７】
接続端子１２は、同軸ケーブル８を介して基板５の接続端子１３（図８を参照）に電気的に接続されている。本実施の形態の接続端子１２は、同軸ケーブル８の一方の端部に設けられているコネクタ８ａが嵌め込まれている。例えば、接続端子１２が雄側のコネクタで構成され、同軸ケーブル８のコネクタ８ａが雌側のコネクタで構成され、相互のコネクタが接続される。
【００１８】
基板５には、図６及び図８に示すように、回路素子１４が設けられている。ここで、回路素子１４は、例えば携帯端末装置１の機能を実現するためのプロセッサ、メモリ、通信モジュール等の集積回路装置や、カメラ用の撮像素子等である。
【００１９】
基板５は、図１等に示すように、貫通孔５ａを備えており、当該貫通孔５ａに通されたボルト１５がフレーム７に形成されたボルト穴７ｃに捻じ込まれることで、基板５はフレーム７に固定されている。
【００２０】
また、基板５には、同軸ケーブル８の他方の端部が電気的に接続される接続端子１３が設けられている。本実施の形態の接続端子１３は、同軸ケーブル８の他方の端部に設けられているコネクタ８ｂが嵌め込まれている。例えば、接続端子１３が雄側のコネクタで構成され、同軸ケーブル８のコネクタ８ｂが雌側のコネクタで構成され、相互のコネクタが接続される。
【００２１】
ちなみに、基板５には、図６及び図８に示すように、同軸ケーブル８を保持する保持部１６が設けられていることが好ましい。この保持部１６によって、基板５上で同軸ケーブル８が固定される。
【００２２】
バッテリ６は、基板５の回路素子１４等に電源を供給する。バッテリ６は、例えばリチウムイオン二次電池である。本実施の形態のバッテリ６は、図９及び図１０に示すように、接続ケーブル６ａを介して基板５の回路素子１４等に電源を供給する。
【００２３】
バッテリ６の本体部６ｂは、平板状に形成されている。そして、バッテリ６は、本体部６ｂから側方に突出する取り付け部６ｃを備えている。この取り付け部６ｃの孔に通されたボルト１５が、図１等に示すように、フレーム７に形成されたボルト穴７ｄに捻じ込まれることで、バッテリ６がフレーム７に固定されている。
【００２４】
ちなみに、バッテリ６は、図９及び図１０に示すように、本体部６ｂから側方に突出する突出部６ｄを備えていることが好ましいが、当該突出部６ｄの機能については後述する。
【００２５】
フレーム７は、基板５及びバッテリ６等を固定するための部材である。本実施の形態のフレーム７は、軽量化のために肉抜きされている。詳細には、フレーム７は、図１１及び図１２に示すように、外形が略四角形状の周辺フレーム７ａの向かい合う２辺が梁７ｂで連結されている。詳細には、周辺フレーム７ａは、携帯端末装置１の長手方向に配置された長辺部分と、携帯端末装置１の短手方向に配置された短辺部分と、を備え、当該長辺部分と当該短辺部分とが略井桁形状に組み立てられている。そして、向かい合う長辺部分が梁７ｂで連結されている。これにより、周辺フレーム７ａの剛性を向上させることができる。
【００２６】
フレーム７は、基板５がボルト接合されるボルト穴７ｃ、及びバッテリ６がボルト接合されるボルト穴７ｄを備えている。このボルト穴７ｃや７ｄを用いて、上述のように基板５やバッテリ６がフレーム７にボルト接合されている。また、周辺フレーム７ａにおける基板５と逆側の角部には、アンテナ基板４がボルト接合されるボルト穴７ｊを備えている。このボルト穴７ｊを用いて、図７に示すようにアンテナ基板４がフレーム７にボルト接合されている。
【００２７】
図１等に示すように、一方の肉抜き部分に基板５の回路素子１４等が配置され、他方の肉抜き部分にバッテリ６の本体部６ｂが配置されている。このように、基板５から突出する回路素子１４や厚みのあるバッテリ６の本体部６ｂを肉抜き部分に配置するので、携帯端末装置１の薄型化に寄与できる。
【００２８】
フレーム７は、図１１乃至図１３に示すように、同軸ケーブル８が配置される溝部７ｅを周辺フレーム７ａに備えていることが好ましい。ちなみに、図１２及び図１３では、溝部７ｅを斜線部分で示している。
【００２９】
このとき、アンテナ基板４の接続端子１２と基板５の接続端子１３とを電気的に接続する同軸ケーブル８が最短となるように、溝部７ｅが形成されていることが好ましく、本実施の形態の溝部７ｅは、周辺フレーム７ａにおけるアンテナ基板４が配置された側の長辺部分において、携帯端末装置１の長手方向に形成されている。但し、溝部７ｅは、周辺フレーム７ａの長辺部分の全域に形成する必要はなく、アンテナ基板４と基板５とを接続する同軸ケーブル８を良好に収納することができれば良い。
【００３０】
フレーム７は、図１１及び図１２等に示すように、四隅に当該フレーム７を筐体２にボルト接合するための貫通孔７ｆを備えており、当該貫通孔７ｆに通られたボルト（図示を省略）が筐体２の接合部２ｂに捻じ込まれることで、基板５及びバッテリ６を固定したフレーム７が筐体２に固定されている。フレーム７に基板５及びバッテリ６が固定され、フレーム７が補強されているので、携帯端末装置１の剛性を確保することができる。しかも、携帯端末装置１を落下させた際に、筐体２から直接に基板５やバッテリ６に衝撃が伝達されず、フレーム７を介して衝撃が伝達されるため、基板５やバッテリ６への衝撃を和らげることができる。
【００３１】
フレーム７は、後述するようにグランドとして機能するように金属材料を用いて形成されている。フレーム７に用いる材料としては、例えば、マグネシウム合金、アルミニウム又はステンレス等を挙げることができる。なお、携帯端末装置１の軽量化を考慮すると、マグネシウム合金を用いることが好ましい。
【００３２】
ちなみに、フレーム７は、周辺フレーム７ａの溝部７ｅより外側の側壁７ｇに位置決めピン７ｈを備えていることが好ましいが、当該位置決めピン７ｈの機能については後述する。
【００３３】
同軸ケーブル８は、アンテナ基板４と基板５とを電気的に接続する。本実施の形態の同軸ケーブル８は、内部導体、絶縁体、外部導体、絶縁体が内部から順に略同軸上に積層されており、図１４に示すように、一方の端部にコネクタ８ａを備え、他方の端部にコネクタ８ｂを備えている。そして、上述のように、コネクタ８ａがアンテナ基板４の接続端子１２に電気的に接続され、コネクタ８ｂが基板５の接続端子１３に電気的に接続されている。
【００３４】
このとき、同軸ケーブル８は、携帯端末装置１の長手方向において、バッテリ６を挟んでアンテナ基板４と基板５とを接続する。つまり、同軸ケーブル８は、携帯端末装置１の長手方向に延在する。そのため、同軸ケーブル８は、途中部分でグランドを確保し、アンテナ特性の劣化を防ぐことが好ましい。
【００３５】
そこで、本実施の形態の同軸ケーブル８は、図１４に示すように、外部導体の露出部分８ｃを備えている。そして、この露出部分８ｃが、図１５に示すように、金属製の保持部材９を介してフレーム７に電気的に接続されている。これにより、同軸ケーブル８の途中部分で金属製のフレーム７によってグランドを確保することができ、アンテナ特性の劣化を防ぐことができる。なお、同軸ケーブル８における外部導体の露出部分８ｃの個数や配置は、同軸ケーブル８の特性等によって適宜設定することができる。
【００３６】
同軸ケーブル８は、図１５乃至図１７に示すように、フレーム７の溝部７ｅ内に配置されていることが好ましい。これにより、バッテリ６と同軸ケーブル８とは、側方から見て略重なって配置され、携帯端末装置１の薄型化に寄与できる。
【００３７】
このとき、フレーム７の溝部７ｅは、図１７に示すように、バッテリ６の突出部６ｄによって覆われることが好ましい。これにより、同軸ケーブル８が溝部７ｅから飛び出すことを防ぎ、バッテリ６をフレーム７に固定する際にバッテリ６とフレーム７とで同軸ケーブル８を挟む込むことを防ぐことができる。
【００３８】
保持部材９は、金属材料で形成されており、同軸ケーブル８における外部導体の露出部分８ｃをフレーム７に電気的に接続する。このように、同軸ケーブル８における外部導体の露出部分８ｃを保持する部材を単独で備えているので、同軸ケーブル８における導体の露出部分８ｃを確実に保持することができる。
【００３９】
本実施の形態の保持部材９は、図１８及び図１９に示すように、保持部９ａ及び固定部９ｂを備えている。但し、保持部材９の形状は、フレーム７と同軸ケーブル８における導体の露出部分８ｃとを電気的に接続することができれば、特に限定されない。
【００４０】
保持部９ａは、図１５に示すように、同軸ケーブル８における外部導体の露出部分８ｃを保持する。本実施の形態の保持部９ａは、図１８及び図１９に示すように、Ｕ字形状に形成されており、固定部９ｂと連続する。そして、保持部９ａは、図１５に示すように、フレーム７の溝部７ｅ内において、当該Ｕ字形状の部分で同軸ケーブル８における外部導体の露出部分８ｃを保持する。
【００４１】
保持部９ａの幅寸法Ｌ１（図１９を参照）は、図１５において破線で示すように、同軸ケーブル８における外部導体の露出部分８ｃの幅寸法Ｌ２よりも狭く設定されることが好ましい。これにより、保持部９ａに同軸ケーブル８における外部導体の露出部分８ｃを嵌め込むだけで、確実に同軸ケーブル８における外部導体の露出部分８ｃを保持することができる。ちなみに、保持部９ａの幅寸法Ｌ１は、同軸ケーブル８における外部導体の露出部分８ｃを挟み込む圧力等を考慮して、適宜設定することができる。
【００４２】
固定部９ｂは、周辺フレーム７ａの溝部７ｅより外側の側壁７ｇに保持部９ａを固定している。本実施の形態の固定部９ｂは、図７及び図１５に示すように、周辺フレーム７ａの溝部７ｅより外側の側壁７ｇを覆うように配置されており、周辺フレーム７の側壁７ｇの頂面と対向する水平部９ｅ、及び当該側壁７ｇの両側面を挟み込む挟持部９ｆを備えている。
【００４３】
水平部９ｅは、貫通孔９ｃを備えており、当該貫通孔９ｃに通されたボルトが当該側壁７ｇに形成されたボルト穴に捻じ込まれることで、保持部材９がフレーム７に固定されていることが好ましい。但し、本実施の形態では、ボルトを用いて保持部材９をフレーム７に固定しているが、固定手段は特に限定されない。
【００４４】
このとき、バッテリ６をフレーム７に固定するためのボルト穴７ｄを共通に用いて、即ちボルト１５をバッテリ６の取り付け部６ｃの孔及び保持部材９の貫通孔９ｃに通し、周辺フレーム７ａの溝部７ｅより外側の側壁７ｇに形成されたボルト穴７ｄに捻じ込むことが好ましい。これにより、新たに保持部材９をフレーム７に固定するためのボルト穴を形成する必要がなく、携帯端末装置１の小型化に寄与できる。
【００４５】
さらに水平部９ｅは、貫通孔（位置決め孔）９ｄを備えていることが好ましい。この貫通孔９ｄを、図７に示すように、フレーム７の位置決めピン７ｈに嵌め込むことで、保持部材９をフレーム７に固定する際に簡単に位置決めすることができる。ここで、ボルト穴７ｄ及び位置決めピン７ｈは、同軸ケーブル８の長手方向に並べられる。そのため、携帯端末装置１の横寸法を削減することができ、携帯端末装置１の小型化に寄与できる。
【００４６】
挟持部９ｆは、周辺フレーム７ａの溝部７ｅより外側の側壁７ｇにおける外方側の面に当接する第１の接圧部９ｆ１、及び当該側壁７ｇにおける内方側の面に当接する第２の接圧部９ｆ２を備えている。第１の接圧部９ｆ１と第２の接圧部９ｆ２とは、水平部９ｅで連結されている。
【００４７】
ここで、第１の接圧部９ｆ１と水平部９ｅとで成す角度θは、図２０に示すように、周辺フレーム７ａの溝部７ｅより外側の側壁７ｇにおける外方側の面と当該側壁７ｇの頂面とで成す角度より小さい角度に形成されていることが好ましい。
【００４８】
これにより、周辺フレーム７ａの溝部７ｅより外側の側壁７ｇに固定部７ｂを嵌め込むと、第１の接圧部９ｆ１と第２の接圧部９ｆ２とで当該側壁７ｇを挟む込み、保持部材９を強固にフレーム７に固定することができる。
【００４９】
第１の接圧部９ｆ１の下端部は、図２０に示すように、外方に湾曲していることが好ましい。これにより、携帯端末装置１を分解する際に、湾曲した部分を摘み易く、簡単に保持部材９をフレーム７から取り外すことができる。
【００５０】
このとき、周辺フレーム７ａの溝部７ｅより外側の側壁７ｇの下端部に凹み部７ｉが形成されていることが好ましい。これにより、より簡単に保持部材９をフレーム７から取り外すことができる。
【００５１】
表示部１０は、被覆パネル１７及び表示パネル１８を備えている。被覆パネル１７は、表示パネル１８の上方に配置されている。本実施の形態の被覆パネル１７は、一般的なタッチパネルと同様の構成とされており、例えば静電容量式のタッチパネルである。被覆パネル１７は、基板５に電気的に接続されており、入力信号を基板５に出力する。この被覆パネル１７の周縁部分は、筐体２の接合面２ｃに両面接着テープや接着剤等で接合されている。
【００５２】
なお、被覆パネル１７として用いられるタッチパネルの形式は特に限定しない。また、本実施の形態の被覆パネル１７は、タッチパネルとして構成したが、表示パネル１８の上面を覆う保護パネルでも良い。
【００５３】
表示パネル１８は、画像情報を表示する。本実施の形態の表示パネル１８は、一般的な液晶パネルや有機若しくは無機ＥＬ（Electro-Luminescence）パネル等である。表示パネル１８は、基板５に電気的に接続されており、基板５からの入力信号に基づいて動作する。
【００５４】
このような携帯端末装置１は、以下のように組み立てられる。先ず、筐体２の爪部２ｄにアンテナ素子３のリブ３ｂを引っ掛けて、筐体２にアンテナ素子３を固定する。
【００５５】
一方で、フレーム７に基板５及びアンテナ基板４を固定する。そして、基板５及びアンテナ基板４を固定したフレーム７の貫通孔７ｆにボルト（図示を省略）を通し、筐体２の接合部２ｂに捻じ込む。このとき、アンテナ素子３の給電部３ｃがアンテナ基板４の接続端子１１に電気的に接続される。
【００５６】
次に、同軸ケーブル８における外部導体の露出部分８ｃを保持部材９の保持部９ａに嵌め込み、同軸ケーブル８をフレーム７の溝部７ｅ内に配置する。そして、保持部材９の固定部９ｂをフレーム７の溝部７ｅより外側の側壁７ｇに挟み込むと共に、保持部材９の貫通孔９ｄをフレーム７の位置決めピン７ｈに嵌め込む。
【００５７】
次に、同軸ケーブル８の一方の端部のコネクタ８ａをアンテナ素子３の接続端子１２に接続し、同軸ケーブル８の他方の端部のコネクタ８ｂを基板５の接続端子１３に接続する。そして、同軸ケーブル８を基板５の保持部１６に保持させる。
【００５８】
次に、バッテリ６の突出部６ｄでフレーム７の溝部７ｅを覆い、バッテリ６の取り付け部６ｃの孔及び保持部材９の貫通孔９ｃにボルト１５を通し、フレーム７のボルト穴７ｄに捻じ込む。
【００５９】
その後、基板５に被覆パネル１７及び表示パネル１８を電気的に接続し、被覆パネル１７の周縁部分を筐体２の接合面２ｃに両面接着テープや接着剤等を用いて接合すると、携帯端末装置１が完成する。
【００６０】
ちなみに、フレーム７に加えて同軸ケーブル８における外部導体の露出部分８ｃをグランド接続する必要がある場合は、基板５の保持部１６を金属材料で形成し、当該保持部１６を介して基板５の金属部分にグランド接続することができる。
【００６１】
本発明は上記実施の形態に限られたものではなく、趣旨を逸脱しない範囲で適宜変更することが可能である。例えば、上記実施の形態では、フレーム７にバッテリ６を固定したが、バッテリ６を筐体２等に固定しても良い。また、上記実施の形態では、保持部材９を周辺フレーム７ａの溝部７ｅより外側の側壁７ｇに固定しているが、保持部材９を周辺フレーム７ａの溝部７ｅより内側の側壁に固定しても良い。
【符号の説明】
【００６２】
１  携帯端末装置
２  筐体、２ａ  凹み部、２ｂ  接合部、２ｃ  接合面、２ｄ  爪部
３  アンテナ素子、３ａ  本体部、３ｂ  リブ、３ｃ  給電部
４  アンテナ基板
５  基板、５ａ  貫通孔
６  バッテリ、６ａ  接続ケーブ、６ｂ  本体部、６ｃ  取り付け部、６ｄ  突出部
７  フレーム、７ａ  周辺フレーム、７ｂ  梁、７ｃ  ボルト穴、７ｄ  ボルト穴、７ｅ  溝部、７ｆ  貫通孔、７ｇ  側壁、７ｈ  位置決めピン、７ｉ凹み部
８  同軸ケーブル、８ａ  コネクタ、８ｂ  コネクタ、８ｃ  露出部分
９  保持部材、９ａ  保持部、９ｂ  固定部、９ｃ  貫通孔、９ｄ  貫通孔、９ｅ  水平部、９ｆ  挟持部、９ｆ１  第１の接圧部、９ｆ２  第２の接圧部
１０  表示部
１１  接続端子
１２  接続端子
１３  接続端子
１４  回路素子
１５  ボルト
１６  保持部
１７  被覆パネル
１８  表示パネル
Ｌ１  保持部分の幅寸法
Ｌ２  接続部材の幅寸法
θ  第１の接圧部と水平部とで成す角度
【図１】
2013255023.tif 000003
【図２】
2013255023.tif 000004
【図３】
2013255023.tif 000005
【図４】
2013255023.tif 000006
【図５】
2013255023.tif 000007
【図６】
2013255023.tif 000008
【図７】
2013255023.tif 000009
【図８】
2013255023.tif 000010
【図９】
2013255023.tif 000011
【図１０】
2013255023.tif 000012
【図１１】
2013255023.tif 000013
【図１２】
2013255023.tif 000014
【図１３】
2013255023.tif 000015
【図１４】
2013255023.tif 000016
【図１５】
2013255023.tif 000017
【図１６】
2013255023.tif 000018
【図１７】
2013255023.tif 000019
【図１８】
2013255023.tif 000020
【図１９】
2013255023.tif 000021
【図２０】
2013255023.tif 000022